(57)【要約】【課題】透過性のタッチパネルディスプレイ装置を用いた方式において、ユーザの利便性が向上する情報表示装置などを提供する。【解決手段】情報表示装置（１）は、座標を形成するように複数配置された静電容量センサ（１２）を備え、透過性のタッチパネルディスプレイ装置（１０）と、複数の静電容量センサ（１２）のうちの、ユーザがタッチパネルディスプレイ装置（１０）に接触したときの検出静電容量センサ群を検知する容量変化検知部（４２）と、検出静電容量センサ群の容量値、数の少なくとも１つに基づいて、ユーザの接触がタッチパネルディスプレイ装置（１０）の表面であるか裏面であるかを判定する表裏判定部（４３）と、表裏判定部（４３）の判定結果に基づいて、タッチパネルディスプレイ装置（１０）に情報を表示する表示制御部（４４）と、を具備する。【選択図】図１
2020035500.tif 000002
【特許請求の範囲】
【請求項１】
表面側の第１電極シートと、裏面側の第２電極シートからなり、前記第１電極シートの第１電極と前記第２電極シートの第２電極との間の静電容量によって、シート面内において２次元的に座標を成すように複数の静電容量センサを形成する、１つの静電容量センサシート、
を備え、
前記１つの静電容量センサシートにより、表面への入力と裏面への接触による入力のいずれであるかを判定して検出可能であるタッチパネル装置であって、
前記複数の静電容量センサのうちの、ユーザが前記タッチパネル装置に接触したときの検出静電容量センサ群を検知する容量変化検知部と、
少なくとも前記検出静電容量センサ群の容量値の大きさに基づいて、前記ユーザの接触が前記タッチパネル装置の表面であるか裏面であるかを判定する表裏判定部と、
を更に具備し、
前記タッチパネル装置の裏面から前記静電容量センサシートまでの距離は、前記タッチパネル装置の表面から前記静電容量センサシートまでの距離よりも大きい距離であり、
前記表裏判定部は、前記検出静電容量センサ群の容量値が、第１閾値以上であるか、あるいは前記第１閾値未満であるか、を判定することを特徴とする、タッチパネル装置。
【請求項２】
前記表裏判定部は、
前記検出静電容量センサ群の容量値が前記第１閾値以上である場合、前記ユーザの接触が表面からの接触であると判定し、
前記検出静電容量センサ群の容量値が前記第１閾値未満である場合、前記ユーザの接触が裏面からの接触であると判定する、
ことを特徴とする、請求項１に記載のタッチパネル装置。
【請求項３】
前記表裏判定部は、前記検出静電容量センサ群の容量値の大きさおよび数の両方に基づいて、前記ユーザの接触が前記タッチパネル装置の表面であるか裏面であるかを判定することを特徴とする、請求項１に記載のタッチパネル装置。
【請求項４】
前記表裏判定部は、
前記検出静電容量センサ群の容量値が前記第１閾値以上である場合、さらに、前記検出静電容量センサ群における所定の方向における検出静電容量センサの数が、第２閾値以上であるか、あるいは前記第２閾値未満であるか、を判定し、前記検出静電容量センサ群における所定の方向における検出静電容量センサの数が第２閾値未満である場合、前記ユーザの接触が表面からの接触であると判定し、
前記検出静電容量センサ群の容量値が前記第１閾値未満である場合、さらに、前記検出静電容量センサ群における所定の方向における検出静電容量センサの数が、第３閾値以上であるか、あるいは前記第３閾値未満であるか、を判定し、前記検出静電容量センサ群における所定の方向における検出静電容量センサの数が第３閾値以上である場合、前記ユーザの接触が裏面からの接触であると判定する
ことを特徴とする、請求項３に記載のタッチパネル装置。
【請求項５】
前記タッチパネル装置の裏面と前記静電容量センサシートとの間に、前記タッチパネル装置の裏面から前記静電容量センサシートまでの距離を保持する基材を更に具備することを特徴とする、請求項１から４のいずれかに記載のタッチパネル装置。
【請求項６】
前記基材に設けられ、振動により音を出力する振動スピーカを更に具備することを特徴とする請求項５に記載のタッチパネル装置。
【請求項７】
透過性であることを特徴とする、請求項１から６のいずれかに記載のタッチパネル装置。
【請求項８】
請求項７に記載のタッチパネル装置と透過性のディスプレイとを具備し、透過性であることを特徴とする、タッチパネルディスプレイ装置。
【請求項９】
請求項８に記載のタッチパネルディスプレイ装置と、
前記表裏判定部の判定結果に基づいて、前記タッチパネルディスプレイ装置に情報を表示する表示制御部と、
を具備することを特徴とする、情報表示装置。
【請求項１０】
前記表示制御部の制御により前記情報を映像として投影するための映像投影装置と、
透過性のシートと、
を更に具備し、
前記シートは、表面が前記タッチパネルディスプレイ装置の表面として用いられ、前記映像投影装置からの映像が投影されることを特徴とする、請求項９に記載の情報表示装置。
【請求項１１】
前記表示制御部は、前記表裏判定部の判定結果が前記タッチパネルディスプレイ装置の裏面の接触を表している場合、前記情報を左右反転させた情報を前記タッチパネルディスプレイ装置に表示することを特徴とする請求項９または１０に記載の情報表示装置。
【請求項１２】
前記表示制御部は、
前記表裏判定部の判定結果と、前記検出静電容量センサ群の位置とに基づいて、前記タッチパネルディスプレイ装置に対して前記ユーザにより入力された前記情報を表す描画情報を生成し、前記描画情報を前記タッチパネルディスプレイ装置に表示し、
前記表裏判定部の判定結果が前記タッチパネルディスプレイ装置の裏面の接触を表していて、前記ユーザによる入力の終了から所定時間が経過した場合、前記描画情報を左右反転させた描画情報を前記タッチパネルディスプレイ装置に表示することを特徴とする請求項９または１０に記載の情報表示装置。
【請求項１３】
前記表示制御部は、
前記表裏判定部の判定結果と、前記検出静電容量センサ群の位置とに基づいて、前記タッチパネルディスプレイ装置に対して前記ユーザにより入力された前記情報を表す描画情報を生成し、前記描画情報を前記タッチパネルディスプレイ装置に表示し、
前記表裏判定部の判定結果が前記タッチパネルディスプレイ装置の裏面の接触を表している場合、前記描画情報を左右反転させた描画情報をリアルタイムに前記タッチパネルディスプレイ装置に表示することを特徴とする請求項９または１０に記載の情報表示装置。
【請求項１４】
前記表裏判定部の判定結果が前記タッチパネルディスプレイ装置の表面と裏面との同時接触を表している場合、前記表示制御部は、
前記タッチパネルディスプレイ装置の表面の接触を検知した前記検出静電容量センサ群の位置に基づいて、前記タッチパネルディスプレイ装置に対して前記ユーザである第１ユーザにより入力された前記情報を表す第１描画情報を生成し、前記第１描画情報を前記タッチパネルディスプレイ装置に表示し、
前記タッチパネルディスプレイ装置の裏面の接触を検知した前記検出静電容量センサ群の位置に基づいて、前記タッチパネルディスプレイ装置に対して前記ユーザである第２ユーザにより入力された前記情報を表す第２描画情報を生成し、前記第１描画情報の属性とは異なる属性により前記第２描画情報を前記タッチパネルディスプレイ装置に表示することを特徴とする請求項９から１３のいずれか一項に記載の情報表示装置。
【請求項１５】
表面側の第１電極シートと、裏面側の第２電極シートからなり、前記第１電極シートの第１電極と前記第２電極シートの第２電極との間の静電容量によって、シート面内において２次元的に座標を成すように複数の静電容量センサを形成する、１つの静電容量センサシート、を備え、前記１つの静電容量センサシートにより、表面への入力と裏面への接触による入力のいずれであるかを判定して検出可能であるタッチパネル装置を用いるタッチ検出方法であって、
前記複数の静電容量センサのうちの、ユーザが前記タッチパネル装置に接触したときの検出静電容量センサ群を検知する容量変化検知ステップと、
少なくとも前記検出静電容量センサ群の容量値の大きさに基づいて、前記ユーザの接触が前記タッチパネル装置の表面であるか裏面であるかを判定するステップと、
を具備し、
前記タッチパネル装置の裏面から前記静電容量センサシートまでの距離は、前記タッチパネル装置の表面から前記静電容量センサシートまでの距離よりも大きい距離であり、
前記表裏判定部は、前記検出静電容量センサ群の容量値が、第１閾値以上であるか、あるいは前記第１閾値未満であるか、を判定することを特徴とする、タッチ検出方法。
【発明の詳細な説明】
【技術分野】
【０００１】
本発明は、タッチパネル装置等に関する。
【背景技術】
【０００２】
近年、教室やオフィスでは、インタラクティブ・ホワイトボード（Interactive Whiteboard）（通称：ＩＷＢ）を含む電子黒板が普及している。その電子黒板では、記入者（例えば、教室の場合は先生）がペン先または記入者の指先により文字や絵などの描画情報をボードに入力したときに、その入力箇所に描画情報を周囲の視聴者（例えば、教室の場合は生徒）に向けて表示部に表示する。
【０００３】
一方、プロジェクタ等の映像投影装置により、透過性のタッチパネルディスプレイ装置に情報を映像として投影（表示）する方式も普及している。特許文献１は、透過性のタッチパネルディスプレイ装置として、ホログラムタッチパネルディスプレイ装置を開示している。
【先行技術文献】
【特許文献】
【０００４】
【特許文献１】特開２００３−５６１７号公報
【発明の概要】
【発明が解決しようとする課題】
【０００５】
透過性のタッチパネルディスプレイ装置は、電子黒板と同様に、ユーザ（記入者）がタッチパネルディスプレイ装置の表面側から入力操作（タッチ操作）を行なうことにより情報を入力（描画）し、その情報は、映像投影装置によりタッチパネルディスプレイ装置に表示される。
【０００６】
一方、上記タッチパネルディスプレイ装置は、電子黒板とは異なり、透過性を有している。そこで、透過性のタッチパネルディスプレイ装置を用いた方式では、電子黒板を用いた方式にはない利点を活かしたい。
【０００７】
本発明は、上記従来の問題点に鑑みてなされたものであって、透過性のタッチパネルディスプレイ装置を用いた方式において、ユーザの利便性が向上する情報表示装置などを提供することを目的とする。
【課題を解決するための手段】
【０００８】
本発明のタッチパネル装置は、表面側の第１電極シートと、裏面側の第２電極シートからなり、前記第１電極シートの第１電極と前記第２電極シートの第２電極との間の静電容量によって、シート面内において２次元的に座標を成すように複数の静電容量センサを形成する、１つの静電容量センサシート、を備え、前記１つの静電容量センサシートにより、表面への入力と裏面への接触による入力のいずれであるかを判定して検出可能であるタッチパネル装置であって、前記複数の静電容量センサのうちの、ユーザが前記タッチパネル装置に接触したときの検出静電容量センサ群を検知する容量変化検知部と、少なくとも前記検出静電容量センサ群の容量値の大きさに基づいて、前記ユーザの接触が前記タッチパネル装置の表面であるか裏面であるかを判定する表裏判定部と、
を更に具備し、前記タッチパネル装置の裏面から前記静電容量センサシートまでの距離は、前記タッチパネル装置の表面から前記静電容量センサシートまでの距離よりも大きい距離であり、前記表裏判定部は、前記検出静電容量センサ群の容量値が、第１閾値以上であるか、あるいは前記第１閾値未満であるか、を判定することを特徴とする。
【０００９】
本発明のタッチパネルディスプレイ装置は、上述したタッチパネル装置と透過性のディスプレイとを具備し、透過性であることを特徴とする。
【００１０】
本発明の情報表示装置は、上述したタッチパネルディスプレイ装置と、前記表裏判定部の判定結果に基づいて、前記タッチパネルディスプレイ装置に情報を表示する表示制御部と、を具備することを特徴とする。
【００１１】
本発明のタッチ検出方法は、表面側の第１電極シートと、裏面側の第２電極シートからなり、前記第１電極シートの第１電極と前記第２電極シートの第２電極との間の静電容量によって、シート面内において２次元的に座標を成すように複数の静電容量センサを形成する、１つの静電容量センサシート、を備え、前記１つの静電容量センサシートにより、表面への入力と裏面への接触による入力のいずれであるかを判定して検出可能であるタッチパネル装置を用いるタッチ検出方法であって、前記複数の静電容量センサのうちの、ユーザが前記タッチパネルディスプレイ装置の表面および裏面から接触したときの検出静電容量センサ群を検知する容量変化検知ステップと、少なくとも前記検出静電容量センサ群の容量値、数の少なくとも１つの大きさに基づいて、前記ユーザの接触が前記タッチパネルディスプレイ装置の表面であるか裏面であるかを判定する表裏判定ステップと、を具備し、前記タッチパネル装置の裏面から前記静電容量センサシートまでの距離は、前記タッチパネル装置の表面から前記静電容量センサシートまでの距離よりも大きい距離であり、前記表裏判定ステップは、前記検出静電容量センサ群の容量値が、第１閾値以上であるか、あるいは前記第１閾値未満であるか、を判定することを特徴とする。
【発明の効果】
【００１２】
このように、本発明では、透過性のタッチパネルディスプレイ装置を用いた方式において、ユーザの接触がタッチパネルディスプレイ装置の表面であるか裏面であるかを区別することができるため、ユーザの利便性が向上する。また、静電容量センサにより、ユーザの接触がタッチパネルディスプレイ装置の表面であるか裏面であるかを判定するため、タッチパネルディスプレイ装置の表面と裏面との両方にセンサを設ける必要がない。
【図面の簡単な説明】
【００１３】
【図１】第１実施形態に係る情報表示装置１の構成を示す図である。
【図２】第１実施形態に係る情報表示装置１のタッチパネルディスプレイ装置１０の構成を示す分解斜視図である。
【図３】第１実施形態に係る情報表示装置１のタッチパネルディスプレイ装置１０の構成を示す図であって、図１のＡ−Ａ’断面図である。
【図４】第１実施形態に係る情報表示装置１において、タッチパネルディスプレイ装置１０と映像投影装置２との配置を説明するための図である。
【図５】２つの距離Ｄ１、Ｄ２に差異を設けない場合（Ｄ１＝Ｄ２）の不具合を説明するための図である。
【図６】第１実施形態に係る情報表示装置１の表裏判定部４３の動作を示すフローチャートである。
【図７】第１実施形態に係る情報表示装置１の動作を説明するための図である。
【図８】第２実施形態に係る情報表示装置１の表裏判定部４３の動作を示すフローチャートである。
【図９】第２実施形態に係る情報表示装置１の動作を説明するための図である。
【図１０】第３実施形態に係る情報表示装置１の表裏判定部４３の動作を示すフローチャートである。
【図１１】第３実施形態に係る情報表示装置１の動作を説明するための図である。
【図１２】第３実施形態に係る情報表示装置１の動作を説明するための図である。
【図１３】第３実施形態に係る情報表示装置１の動作を説明するための図である。
【図１４】第３実施形態に係る情報表示装置１の動作を説明するための図である。
【図１５】第３実施形態に係る情報表示装置１の動作を説明するための図である。
【図１６】第４実施形態に係る情報表示装置１の表示制御部４４の動作を示すフローチャートである。
【図１７】第４実施形態に係る情報表示装置１の動作を説明するための図である。
【図１８】第４実施形態に係る情報表示装置１の動作を説明するための図である。
【図１９】第４実施形態に係る情報表示装置１の動作を説明するための図である。
【図２０】第５実施形態に係る情報表示装置１の表示制御部４４の動作を示すフローチャートである。
【図２１】第５実施形態に係る情報表示装置１の動作を説明するための図である。
【図２２】第５実施形態に係る情報表示装置１の動作を説明するための図である。
【図２３】第５実施形態に係る情報表示装置１の動作を説明するための図である。
【図２４】第５実施形態に係る情報表示装置１の動作を説明するための図である。
【図２５】第５実施形態に係る情報表示装置１の動作を説明するための図である。
【図２６】第６実施形態に係る情報表示装置１の表示制御部４４の動作を示すフローチャートである。
【図２７】第６実施形態に係る情報表示装置１の動作を説明するための図である。
【図２８】第６実施形態に係る情報表示装置１の動作を説明するための図である。
【図２９】第６実施形態に係る情報表示装置１の動作を説明するための図である。
【図３０】第６実施形態に係る情報表示装置１の動作を説明するための図である。
【図３１】第７実施形態に係る情報表示装置１の表裏判定部４３の動作を示すフローチャートである。
【図３２】第７実施形態に係る情報表示装置１の表示制御部４４の動作を示すフローチャートである。
【図３３】第７実施形態に係る情報表示装置１の動作を説明するための図である。
【図３４】第８実施形態に係る情報表示装置１の動作を説明するための図である。
【発明を実施するための形態】
【００１４】
以下、図面を参照しながら実施形態について説明する。
［第１実施形態］
図１は、第１実施形態に係る情報表示装置１の構成を示す図である。情報表示装置１は、映像投影装置２と、記憶装置３と、制御装置４と、透過性のタッチパネルディスプレイ装置１０とを具備している。映像投影装置２は、プロジェクタなどの装置であり、情報を映像として投影するために使用される。タッチパネルディスプレイ装置１０は、映像投影装置２から出力される映像を表示する。
【００１５】
図２は、第１実施形態に係る情報表示装置１のタッチパネルディスプレイ装置１０の構成を示す分解斜視図である。タッチパネルディスプレイ装置１０は、透過性の投影シート１１と、複数の静電容量センサ１２と、透過性の基材１３と、低反射フィルム１４とを備えている。
【００１６】
投影シート１１の表面は、タッチパネルディスプレイ装置１０の表面として用いられている。投影シート１１の表面には、映像投影装置２からの映像が投影される。
【００１７】
投影シート１１は、映像投影装置２から出力される映像を表示するスクリーンである。一般的に、照明や外乱光のある環境では、スクリーン自体が白く浮き上がってくるため、必然的に映像の中の黒色が白っぽくなる現象（以下、黒浮きと称する）が生じる。そこで、黒浮きを軽減するためにスクリーンに色を付けたり、照明や外乱光のある環境下でも使えるように黒に近い色にしたスクリーンが市販されている。本実施形態では、投影シート１１（スクリーン）に対して透過度を優先するため、投影シート１１として半透明型のリア透過フィルムが使用される。投影シート１１（リア透過フィルム）の主な材質としてはポリプロピレンが用いられる。透明な部分に映像が表示されるため、例えば、サイネージとして利用される場合は、ユーザの興味を引き付け、広告効果が得られるというメリットがある。
【００１８】
複数の静電容量センサ１２は、投影シート１１の裏面と基材１３の表面との間に、座標を形成するように配置されている。
【００１９】
静電容量センサ１２には、従来、透明かつ導電性のある酸化インジウムスズ（ＩＴＯ（Indium Tin Oxide）、Tin-doped Indium Oxide）が材料として用いられてきたが、近年のタッチパネルの大型化に伴い、銅（Ｃｕ）メッシュや銀（Ａｇ）ナノワイヤなどが製品化されている。図２に示されるように、複数の静電容量センサ１２は、複数の静電容量センサ１２Ｘと、複数の静電容量センサ１２Ｙとを含んでいる。２枚のＰＥＴ（ポリエチレンテレフタレート）シート上には、それぞれ、複数の静電容量センサ１２Ｘ、１２Ｙを形成するために電極が設けられ、２枚のＰＥＴシートは、Ｘ座標の電極（複数の静電容量センサ１２Ｘ）とＹ座標の電極（複数の静電容量センサ１２Ｙ）とが互いに直交するように配置される。直交するＸ座標の電極（複数の静電容量センサ１２Ｘ）とＹ座標の電極（複数の静電容量センサ１２Ｙ）との間に形成される相互容量の容量変化を検出することにより、ユーザの接触を検出する。また、近年では、１枚のＰＥＴシートの表面、裏面にそれぞれＸ座標の電極（複数の静電容量センサ１２Ｘ）、Ｙ座標の電極（複数の静電容量センサ１２Ｙ）を形成する技術も確立されている。
【００２０】
基材１３の裏面は、タッチパネルディスプレイ装置１０の裏面として用いられる。
【００２１】
基材１３は、投影シート１１、複数の静電容量センサ１２、低反射フィルム１４をモジュール化するための板である。基材１３は、透過性が必要なことから、ガラスやアクリルなどの部材で構成される。
【００２２】
外光の反射を軽減するために、基材１３の裏面は、低反射フィルム１４の表面で覆われている。実質的には、低反射フィルム１４の裏面がタッチパネルディスプレイ装置１０の裏面として用いられる。
【００２３】
低反射フィルム１４は、ガラスやアクリルなどに映り込む外光の反射を軽減し、タッチパネルディスプレイ装置１０の裏面を見易くする。すなわち、透過性を上げる役割を担っている。低反射フィルム１４は、ハードコート層を形成したベースフィルム（ＰＥＴ：ポリエチレンテレフタレート）の表面に、反射防止膜（無機の誘電体薄膜）がコートされたものであって、２種類の反射波が干渉によって互いに打ち消しあうように形成されている。なお、無機の誘電体薄膜としては、フッ化マグネシウム（ＭｇＦ２）、シリコン（Ｓｉ）、二酸化ケイ素（ＳｉＯ２）などが用いられる。
【００２４】
図３は、第１実施形態に係る情報表示装置１のタッチパネルディスプレイ装置１０の構成を示す図であって、図１のＡ−Ａ’断面図である。
【００２５】
図３に示されるように、投影シート１１の表面（タッチパネルディスプレイ装置１０の表面）から複数の静電容量センサ１２（具体的には、複数の静電容量センサ１２Ｘが形成されたＰＥＴシート）までの距離をＤ１とする。低反射フィルム１４の裏面（タッチパネルディスプレイ装置１０の裏面）から複数の静電容量センサ１２（具体的には、複数の静電容量センサ１２Ｙが形成されたＰＥＴシート）までの距離をＤ２とする。この場合、距離Ｄ１と距離Ｄ２とは異なる。具体的には、距離Ｄ２は、距離Ｄ１よりも設定距離ＤＳだけ長い（Ｄ１＜Ｄ２（Ｄ２＝Ｄ１＋ＤＳ）。
【００２６】
次に、図１〜３を用いて、複数の静電容量センサ１２について詳細に説明する。複数の静電容量センサ１２は、１画面毎（フレーム毎）に表示面を走査してタッチ位置の座標を検出するように構成されている。なお、タッチパネルディスプレイ装置１０の両面において、静電容量センサ１２で走査を行っている画面を走査面と称する。
【００２７】
複数の静電容量センサ１２は、座標を形成するように、２つのＰＥＴシート上に電極がマトリックス状に配置されている。その静電容量センサ１２は、ユーザが指示媒体（ペン先またはユーザの指先）を用いてタッチパネルディスプレイ装置１０に対して入力操作を行なったときに、タッチパネルディスプレイ装置１０に対するユーザの入力を検出することができる。複数の静電容量センサ１２は、例えば、２つのＰＥＴシートを用いて４０９６×２１６０に配置されることにより、所定距離以下に近接した指示媒体（ペン先または記入者の指先）を検出する。なお、座標としては、タッチパネルディスプレイ装置１０の表面から見て、左上の角を（０、０）とし、右下の角を（４０９５、２１５９）とし、それぞれの座標に対して静電容量が検出される。
【００２８】
図４は、第１実施形態に係る情報表示装置１において、タッチパネルディスプレイ装置１０と映像投影装置２との配置を説明するための図である。
【００２９】
タッチパネルディスプレイ装置１０は、台３１上に設けられている。具体的には、台３１上には支持部３２が設けられ、支持部３２は、地面に対して垂直あるいは垂直に近い状態でタッチパネルディスプレイ装置１０を支持している。
【００３０】
映像投影装置２は、天井３３に設けられている。具体的には、天井３３には支持部３４が設けられ、支持部３４は、タッチパネルディスプレイ装置１０に向けて映像が投影されるように、映像投影装置２を支持している。
【００３１】
次に、図１を用いて、制御装置４、記憶装置３について詳細に説明する。
【００３２】
制御装置４は、センサ駆動部４１と、容量変化検知部４２と、表裏判定部４３と、表示制御部４４と、メニュー表示制御部４５と、これらの構成要素を制御するＣＰＵ（図示しない）とを備えている。記憶装置３にはコンピュータが実行可能なコンピュータプログラムが格納され、ＣＰＵはそのコンピュータプログラムを読み出して実行する。
【００３３】
センサ駆動部４１は、タッチパネルディスプレイ装置１０の複数の静電容量センサ１２（複数の静電容量センサ１２Ｘ、複数の静電容量センサ１２Ｙ）を駆動する。
【００３４】
容量変化検知部４２は、複数の静電容量センサ１２のうちの、ユーザがタッチパネルディスプレイ装置１０に接触したときの検出静電容量センサを検知する。容量変化検知部４２は、検出静電容量センサ群の検出結果として、検出静電容量センサ群の容量値、数、位置を表す情報を出力する。
【００３５】
表裏判定部４３は、検出静電容量センサ群の容量値、数の少なくとも１つに基づいて、ユーザの接触がタッチパネルディスプレイ装置１０の表面であるか裏面であるかを判定する。
【００３６】
表示制御部４４は、表裏判定部４３の判定結果に基づいて、タッチパネルディスプレイ装置１０に情報が映像として投影（表示）されるように映像投影装置２を制御する。また、表示制御部４４は、表裏判定部４３の判定結果と、検出静電容量センサ群の位置とに基づいて、タッチパネルディスプレイ装置１０に対してユーザにより入力された情報を表す描画情報を生成し、描画情報がタッチパネルディスプレイ装置１０に映像として投影（表示）されるように映像投影装置２を制御する。
【００３７】
ここで、記憶装置３は、手書きされた情報、表示方向、グラフ情報等の描画情報を記憶する描画記憶領域と、一時的に描画情報にオーバーラップしてメニューを表示するメニュー操作処理に関する情報を記憶するメニュー記憶領域とを有している。メニュー記憶領域は描画記憶領域とは別レイヤーである。そして、表示制御部４４は、自身による描画処理に基づいて、タッチパネルディスプレイ装置１０に表示する内容を記憶している記憶装置３の描画記憶領域の内容を更新し、メニュー操作処理に基づいて、タッチパネルディスプレイ装置１０に表示する内容を記憶している記憶装置３のメニュー記憶領域の内容を更新する。
【００３８】
メニューは、タッチパネルディスプレイ装置１０の表示領域以外の表示領域（図示しない）に表示される。メニューの表示領域は、例えば、タッチパネルディスプレイ装置１０の左端の領域に各種アイコンにより表示される。メニュー表示制御部４５は、メニュー操作処理において、ユーザが各種アイコンのうちの選択されたアイコンを手でタッチしたときに、そのアイコンに応じた処理を行なう。本実施形態では、メニュー操作処理の説明については省略する。
【００３９】
次に、投影シート１１の表面（タッチパネルディスプレイ装置１０の表面）から複数の静電容量センサ１２（複数の静電容量センサ１２Ｘが形成されたＰＥＴシート）までの距離Ｄ１と、低反射フィルム１４の裏面（タッチパネルディスプレイ装置１０の裏面）から複数の静電容量センサ１２（複数の静電容量センサ１２Ｙが形成されたＰＥＴシート）までの距離Ｄ２と、に差異を設ける理由について説明する。上述のように、本実施形態では、２つの距離Ｄ１、Ｄ２は、Ｄ１＜Ｄ２という関係である。
【００４０】
まず、図５を用いて、検出静電容量センサ群の容量値、数の求め方について説明する。
【００４１】
ここで、横軸を検出静電容量センサ群の位置とし、縦軸を検出静電容量センサ群の容量値Ｃとしたときに、検出静電容量センサ群の容量値、位置は、図５に示すような曲線Ｖにより表される。検出静電容量センサ群の位置は、座標（Ｘ座標、Ｙ座標）を表している。
【００４２】
検出静電容量センサ群の容量値Ｃの求め方については、例えば、検出静電容量センサ群の容量値Ｃのうちの最も大きい容量値Ｃ（容量ピーク値Ｃｐ）を「検出静電容量センサ群の容量値Ｃ」としている。
【００４３】
検出静電容量センサ群の数の求め方については、例えば、容量閾値Ｃｔｈを表す直線Ｌと曲線Ｖとの２つの交点Ｐ１、Ｐ２を求めたときに、検出静電容量センサ群のうち、交点Ｐ１から交点Ｐ２までに位置する静電容量センサ１２の数（検出数）を「検出静電容量センサ群の数」としている。容量閾値Ｃｔｈは、容量ピーク値Ｃｐよりも小さい。検出数は、Ｘ座標の検出静電容量センサ群のうち、交点Ｐ１から交点Ｐ２までに位置する検出静電容量センサの数である検出数Ｗｘと、Ｙ座標の検出静電容量センサ群のうち、交点Ｐ１から交点Ｐ２までに位置する検出静電容量センサの数である検出数Ｗｙとを表している。
【００４４】
次に、図５を用いて、２つの距離Ｄ１、Ｄ２に差異を設けない場合（Ｄ１＝Ｄ２）の不具合について説明する。
【００４５】
２つの距離Ｄ１、Ｄ２に差異を設けない場合（Ｄ１＝Ｄ２）、図５に示されるように、曲線Ｖの形状は、ユーザがタッチパネルディスプレイ装置１０の表面から接触した場合と、ユーザがタッチパネルディスプレイ装置１０の裏面から接触した場合とで同じになる。すなわち、検出静電容量センサ群の容量値Ｃ、数は、ユーザがタッチパネルディスプレイ装置１０の表面から接触した場合と、ユーザがタッチパネルディスプレイ装置１０の裏面から接触した場合とで同等となる。この場合、検出静電容量センサ群の数、位置により形成される接触面の形状も同等となる。このように、２つの距離Ｄ１、Ｄ２に差異を設けない場合（Ｄ１＝Ｄ２）、表裏判定部４３は、ユーザの接触がタッチパネルディスプレイ装置１０の表面であるか裏面であるかを判定することができない。
【００４６】
そこで、２つの距離Ｄ１、Ｄ２に差異を設けることで（Ｄ１＜Ｄ２）、曲線Ｖの形状は、ユーザがタッチパネルディスプレイ装置１０の表面から接触した場合と、ユーザがタッチパネルディスプレイ装置１０の裏面から接触した場合とで異なることになる。すなわち、検出静電容量センサ群の容量値Ｃ、数は、ユーザがタッチパネルディスプレイ装置１０の表面から接触した場合と、ユーザがタッチパネルディスプレイ装置１０の裏面から接触した場合とで差異が生じることになる。この場合、検出静電容量センサ群の数、位置により形成される接触面の形状にも差異が生じる。したがって、表裏判定部４３は、このような差異を検出することにより、ユーザの接触がタッチパネルディスプレイ装置１０の表面であるか裏面であるかを判定することができる。
【００４７】
ユーザの接触がタッチパネルディスプレイ装置１０の表面であるか裏面であるかを判定する条件としては、以下の（条件Ａ）〜（条件Ｃ）の方法が考えられる。
（条件Ａ）  検出静電容量センサ群の容量値Ｃの差異による判定
（条件Ｂ）  検出静電容量センサ群の数（検出静電容量センサ群の数、位置により形成される接触面の形状）の差異による判定
（条件Ｃ）  上記（条件Ａ）と上記（条件Ｂ）との組み合わせによる判定
【００４８】
ここで、第１実施形態では、表裏判定部４３は、上述の（条件Ａ）により、すなわち、検出静電容量センサ群の容量値Ｃの差異により、ユーザの接触がタッチパネルディスプレイ装置１０の表面であるか裏面であるかを判定する。
【００４９】
図６、７を用いて、第１実施形態に係る情報表示装置１の動作について説明する。図６は、第１実施形態に係る情報表示装置１の表裏判定部４３の動作を示すフローチャートである。図７は、第１実施形態に係る情報表示装置１の動作を説明するための図である。
【００５０】
容量変化検知部４２は、複数の静電容量センサ１２のうちの、ユーザがタッチパネルディスプレイ装置１０に接触したときの検出静電容量センサ群を検知し、その検出結果として、検出静電容量センサ群の容量値Ｃ、数、位置を表す情報を出力する。表裏判定部４３は、容量変化検知部４２からの検出結果を受け取る（図６のステップＳ１０１）。
【００５１】
表裏判定部４３は、検出静電容量センサ群の容量値Ｃに基づいて、ユーザの接触がタッチパネルディスプレイ装置１０の表面であるか否かを判定する。具体的には、図７に示されるように、検出静電容量センサ群の容量値Ｃ、位置を表す曲線Ｖに対して、容量閾値Ｃｔｈ１１が設定されている。表裏判定部４３は、検出静電容量センサ群の容量値Ｃが容量閾値Ｃｔｈ１１以上であるか否かを判定する（図６のステップＳ１０２）。
【００５２】
ここで、検出静電容量センサ群のうち、容量値Ｃが容量閾値Ｃｔｈ１１以上の検出静電容量センサが存在する場合（図６のステップＳ１０２−Ｙｅｓ）、表裏判定部４３は、ユーザの接触がタッチパネルディスプレイ装置１０の表面であるものと判定し、その判定結果を表示制御部４４に出力する（図６のステップＳ１０３）。このとき、表示制御部４４は、表裏判定部４３の判定結果を受け取る。例えば、表裏判定部４３の判定結果が、ユーザの接触がタッチパネルディスプレイ装置１０の表面を表している場合は、表示制御部４４は、タッチパネルディスプレイ装置１０に第１の情報（第１の映像）が表示されるように映像投影装置２を制御する。
【００５３】
このように、２つの距離Ｄ１、Ｄ２が、Ｄ１＜Ｄ２という関係である場合、タッチパネルディスプレイ装置１０の表面は、タッチパネルディスプレイ装置１０の裏面と比べて、検出静電容量センサ群までの距離が短いため、ユーザがタッチパネルディスプレイ装置１０の表面から接触すると、検出静電容量センサ群の容量値Ｃが大きくなる。
【００５４】
一方、検出静電容量センサ群のうち、容量値Ｃが容量閾値Ｃｔｈ１１以上の検出静電容量センサが存在しない場合（図６のステップＳ１０２−Ｎｏ）、表裏判定部４３は、検出静電容量センサ群の容量値Ｃに基づいて、ユーザの接触がタッチパネルディスプレイ装置１０の裏面であるか否かを判定する。具体的には、図７に示されるように、検出静電容量センサ群の容量値Ｃ、位置を表す曲線Ｖに対して、更に、容量閾値Ｃｔｈ１１より小さい容量閾値Ｃｔｈ１２が設定されている。表裏判定部４３は、検出静電容量センサ群の容量値Ｃが容量閾値Ｃｔｈ１１より小さく、容量閾値Ｃｔｈ１２以上であるか否かを判定する（図６のステップＳ１０４）。
【００５５】
ここで、検出静電容量センサ群のうち、容量値Ｃが容量閾値Ｃｔｈ１２以上の検出静電容量センサが存在する場合（図６のステップＳ１０２−Ｙｅｓ）、表裏判定部４３は、ユーザの接触がタッチパネルディスプレイ装置１０の裏面であるものと判定し、その判定結果を表示制御部４４に出力する（図６のステップＳ１０５）。このとき、表示制御部４４は、表裏判定部４３の判定結果を受け取る。例えば、表裏判定部４３の判定結果が、ユーザの接触がタッチパネルディスプレイ装置１０の裏面を表している場合は、表示制御部４４は、タッチパネルディスプレイ装置１０に第２の情報（第２の映像）が表示されるように映像投影装置２を制御する。
【００５６】
第１実施形態では、ユーザがタッチパネルディスプレイ装置１０の表面側から認識できるように、第１または第２の情報がタッチパネルディスプレイ装置１０に表示される。例えば、タッチパネルディスプレイ装置１０の表面への接触により、問題を表す第１の情報がタッチパネルディスプレイ装置１０に表示され、タッチパネルディスプレイ装置１０の裏面への接触により、問題に対する回答を表す第２の情報がタッチパネルディスプレイ装置１０に表示される。
【００５７】
このように、２つの距離Ｄ１、Ｄ２が、Ｄ１＜Ｄ２という関係である場合、タッチパネルディスプレイ装置１０の裏面は、タッチパネルディスプレイ装置１０の表面と比べて、検出静電容量センサ群までの距離が長いため、ユーザがタッチパネルディスプレイ装置１０の裏面から接触すると、検出静電容量センサ群の容量値Ｃが小さくなる。
【００５８】
一方、検出静電容量センサ群の容量値Ｃが容量閾値Ｃｔｈ１２以上の検出静電容量センサが存在しない場合（図６のステップＳ１０４−Ｎｏ）、表裏判定部４３は、ユーザの接触がないものと判定し、表示制御部４４は、タッチパネルディスプレイ装置１０に情報を表示しない。
【００５９】
以上の説明により、第１実施形態に係る情報表示装置１は、座標を形成するように複数配置された静電容量センサ１２を備え、透過性のタッチパネルディスプレイ装置１０と、複数の静電容量センサ１２のうちの、ユーザがタッチパネルディスプレイ装置１０に接触したときの検出静電容量センサ群を検知する容量変化検知部４２と、検出静電容量センサ群の容量値Ｃに基づいて、ユーザの接触がタッチパネルディスプレイ装置１０の表面であるか裏面であるかを判定する表裏判定部４３と、表裏判定部４３の判定結果に基づいて、タッチパネルディスプレイ装置１０に情報を表示する表示制御部４４と、を具備している。このように、第１実施形態に係る情報表示装置１では、透過性のタッチパネルディスプレイ装置を用いた方式において、ユーザの接触がタッチパネルディスプレイ装置１０の表面であるか裏面であるかを区別することができるため、ユーザの利便性が向上する。また、第１実施形態に係る情報表示装置１では、静電容量センサ１２（検出静電容量センサ群の容量値Ｃ）により、ユーザの接触がタッチパネルディスプレイ装置１０の表面であるか裏面であるかを判定するため、タッチパネルディスプレイ装置１０の表面と裏面との両方にセンサを設ける必要がない。
【００６０】
また、第１実施形態に係る情報表示装置１は、表示制御部４４の制御により情報を映像として投影するための映像投影装置２を更に具備し、タッチパネルディスプレイ装置１０は、その表面がタッチパネルディスプレイ装置１０の表面として用いられ、映像投影装置２からの映像が投影される透過性の投影シート１１と、その表面と投影シート１１の裏面との間に複数の静電容量センサ１２が配置され、その裏面がタッチパネルディスプレイ装置１０の裏面として用いられる透過性の基材１３と、を更に備えている。投影シート１１の表面から複数の静電容量センサ１２までの距離Ｄ１と、基材１３の裏面から複数の静電容量センサ１２までの距離Ｄ２とは、異なる。第１実施形態に係る情報表示装置１では、タッチパネルディスプレイ装置１０の上記構成により、ユーザの接触がタッチパネルディスプレイ装置１０の表面であるか裏面であるかを区別することができる。
【００６１】
［第２実施形態］
第２実施形態では第１実施形態からの変更点を説明する。
【００６２】
第２実施形態では、表裏判定部４３は、上述の（条件Ｂ）により、すなわち、検出静電容量センサ群の数（検出静電容量センサ群の数、位置により形成される接触面の形状）の差異により、ユーザの接触がタッチパネルディスプレイ装置１０の表面であるか裏面であるかを判定する。
【００６３】
図８、９を用いて、第２実施形態に係る情報表示装置１の動作について説明する。図８は、第２実施形態に係る情報表示装置１の表裏判定部４３の動作を示すフローチャートである。図９は、第２実施形態に係る情報表示装置１の動作を説明するための図である。
【００６４】
容量変化検知部４２は、複数の静電容量センサ１２のうちの、ユーザがタッチパネルディスプレイ装置１０に接触したときの検出静電容量センサ群を検知し、その検出結果として、検出静電容量センサ群の容量値Ｃ、数、位置を表す情報を出力する。表裏判定部４３は、容量変化検知部４２からの検出結果を受け取る（図８のステップＳ２０１）。
【００６５】
表裏判定部４３は、検出静電容量センサ群の容量値Ｃに基づいて、ユーザの接触がタッチパネルディスプレイ装置１０の表面であるか否かを判定する。具体的には、図９に示されるように、検出静電容量センサ群の容量値Ｃ、位置を表す曲線Ｖに対して、容量閾値Ｃｔｈ２０が設定されている。表裏判定部４３は、検出静電容量センサ群の容量値Ｃが容量閾値Ｃｔｈ２０以上であるか否かを判定する（図８のステップＳ２０２）。
【００６６】
ここで、検出静電容量センサ群の容量値Ｃが容量閾値Ｃｔｈ２０より小さい場合（図８のステップＳ２０２−Ｎｏ）、表裏判定部４３は、ユーザの接触がないあるものと判定し、図９のステップＳ２０４が実行される。
【００６７】
一方、表裏判定部４３は、検出静電容量センサ群のうち、容量値Ｃが容量閾値Ｃｔｈ２０以上の検出静電容量センサが存在する場合、その検出静電容量センサに対して、フラグを設定する（図８のステップＳ２０２−Ｙｅｓ、Ｓ２０３）。この処理では、容量閾値Ｃｔｈ２０を表す直線Ｌと曲線Ｖとの最初の交点Ｐ１が求められた場合（図８のステップＳ２０４−Ｎｏ）、上記直線Ｌと曲線Ｖとの次の交点Ｐ２が求められるまで、ステップＳ２０１〜Ｓ２０４が実行される。
【００６８】
交点Ｐ１、Ｐ２が求められ、フラグが設定されている場合（図８のステップＳ２０４−Ｙｅｓ、Ｓ２０５−Ｙｅｓ）、表裏判定部４３は、検出静電容量センサ群のうち、交点Ｐ１から交点Ｐ２までに位置する検出静電容量センサの数（検出数）を、検出静電容量センサ群の数とする。検出数は、Ｘ座標の検出静電容量センサ群のうち、交点Ｐ１から交点Ｐ２までに位置する検出静電容量センサの数である検出数Ｗｘ２０と、Ｙ座標の検出静電容量センサ群のうち、交点Ｐ１から交点Ｐ２までに位置する検出静電容量センサの数である検出数Ｗｙ２０とを表している。表裏判定部４３は、検出数Ｗｘ２０、Ｗｙ２０に基づいて、ユーザの接触がタッチパネルディスプレイ装置１０の表面であるか否かを判定する。具体的には、図９に示されるように、表裏判定部４３は、フラグが設定され（Ｃｐ≧Ｃｔｈ２０であり）、検出数Ｗｘ２０、Ｗｙ２０がそれぞれ設定数Ｗｔｈｘ２０、Ｗｔｈｙ２０より少ないか否かを判定する（図８のステップＳ２０６）。
【００６９】
ここで、検出数Ｗｘ２０、Ｗｙ２０がそれぞれ設定数Ｗｔｈｘ２０、Ｗｔｈｙ２０より少ない場合（図８のステップＳ２０６−Ｙｅｓ）、表裏判定部４３は、ユーザの接触がタッチパネルディスプレイ装置１０の表面であるものと判定し、その判定結果を表示制御部４４に出力する（図８のステップＳ２０７）。このとき、表示制御部４４は、表裏判定部４３の判定結果を受け取る。例えば、表裏判定部４３の判定結果が、ユーザの接触がタッチパネルディスプレイ装置１０の表面を表している場合は、表示制御部４４は、タッチパネルディスプレイ装置１０に第１の情報（第１の映像）が表示されるように映像投影装置２を制御する。
【００７０】
このように、２つの距離Ｄ１、Ｄ２が、Ｄ１＜Ｄ２という関係である場合、タッチパネルディスプレイ装置１０の表面は、タッチパネルディスプレイ装置１０の裏面と比べて、検出静電容量センサ群までの距離が短いため、ユーザがタッチパネルディスプレイ装置１０の表面から接触すると、検出静電容量センサ群の容量値Ｃが大きくなり、検出静電容量センサ群の数が少なくなる。すなわち、検出静電容量センサ群の数、位置により形成される接触面の形状が小さくなる。
【００７１】
一方、検出数Ｗｘ２０、Ｗｙ２０がそれぞれ設定数Ｗｔｈｘ２０、Ｗｔｈｙ２０以上である場合（図８のステップＳ２０６−Ｎｏ）、表裏判定部４３は、ユーザの接触がタッチパネルディスプレイ装置１０の裏面であるものと判定し、その判定結果を表示制御部４４に出力する（図８のステップＳ２０８）。このとき、表示制御部４４は、表裏判定部４３の判定結果を受け取る。例えば、表裏判定部４３の判定結果が、ユーザの接触がタッチパネルディスプレイ装置１０の裏面を表している場合は、表示制御部４４は、タッチパネルディスプレイ装置１０に第２の情報（第２の映像）が表示されるように映像投影装置２を制御する。
【００７２】
第２実施形態では、第１実施形態と同様に、ユーザがタッチパネルディスプレイ装置１０の表面側から認識できるように、第１または第２の情報がタッチパネルディスプレイ装置１０に表示される。
【００７３】
このように、２つの距離Ｄ１、Ｄ２が、Ｄ１＜Ｄ２という関係である場合、タッチパネルディスプレイ装置１０の裏面は、タッチパネルディスプレイ装置１０の表面と比べて、検出静電容量センサ群までの距離が長いため、ユーザがタッチパネルディスプレイ装置１０の裏面から接触すると、検出静電容量センサ群の容量値Ｃが小さくなり、検出静電容量センサ群の数が多くなる。すなわち、検出静電容量センサ群の数、位置により形成される接触面の形状が大きくなる。
【００７４】
一方、フラグが設定されていない場合（図８のステップＳ２０５−Ｎｏ）、表裏判定部４３は、ユーザの接触がないものと判定し、表示制御部４４は、タッチパネルディスプレイ装置１０に情報を表示しない。
【００７５】
以上の説明により、第２実施形態に係る情報表示装置１は、座標を形成するように複数配置された静電容量センサ１２を備え、透過性のタッチパネルディスプレイ装置１０と、複数の静電容量センサ１２のうちの、ユーザがタッチパネルディスプレイ装置１０に接触したときの検出静電容量センサ群を検知する容量変化検知部４２と、検出静電容量センサ群の数（検出静電容量センサ群の数、位置により形成される接触面の形状）に基づいて、ユーザの接触がタッチパネルディスプレイ装置１０の表面であるか裏面であるかを判定する表裏判定部４３と、表裏判定部４３の判定結果に基づいて、タッチパネルディスプレイ装置１０に情報を表示する表示制御部４４と、を具備している。このように、第２実施形態に係る情報表示装置１では、透過性のタッチパネルディスプレイ装置を用いた方式において、ユーザの接触がタッチパネルディスプレイ装置１０の表面であるか裏面であるかを区別することができるため、ユーザの利便性が向上する。また、第２実施形態に係る情報表示装置１では、静電容量センサ１２（検出静電容量センサ群の数（検出静電容量センサ群の数、位置により形成される接触面の形状））により、ユーザの接触がタッチパネルディスプレイ装置１０の表面であるか裏面であるかを判定するため、タッチパネルディスプレイ装置１０の表面と裏面との両方にセンサを設ける必要がない。
【００７６】
［第３実施形態］
第３実施形態では第１実施形態からの変更点を説明する。
【００７７】
第３実施形態では、表裏判定部４３は、上述の（条件Ｃ）により、すなわち、上述の（条件Ａ）と上述の（条件Ｂ）との組み合わせにより、ユーザの接触がタッチパネルディスプレイ装置１０の表面であるか裏面であるかを判定する。
【００７８】
図１０〜１５を用いて、第３実施形態に係る情報表示装置１の動作について説明する。図１０は、第３実施形態に係る情報表示装置１の表裏判定部４３の動作を示すフローチャートである。図１１〜１５は、第３実施形態に係る情報表示装置１の動作を説明するための図である。
【００７９】
容量変化検知部４２は、複数の静電容量センサ１２のうちの、ユーザがタッチパネルディスプレイ装置１０に接触したときの検出静電容量センサ群を検知し、その検出結果として、検出静電容量センサ群の容量値Ｃ、数、位置を表す情報を出力する。表裏判定部４３は、容量変化検知部４２からの検出結果を受け取る（図１０のステップＳ３０１）。
【００８０】
表裏判定部４３は、検出静電容量センサ群の容量値Ｃに基づいて、ユーザの接触がタッチパネルディスプレイ装置１０の表面であるか否かを判定する。具体的には、図１１に示されるように、検出静電容量センサ群の容量値Ｃ、位置を表す曲線Ｖに対して、容量閾値Ｃｔｈ３１と、容量閾値Ｃｔｈ３１より小さい容量閾値Ｃｔｈ３２とが設定されている。表裏判定部４３は、検出静電容量センサ群の容量値Ｃが容量閾値Ｃｔｈ３１以上であるか否かを判定する（図１０のステップＳ３０２）。
【００８１】
ここで、表裏判定部４３は、検出静電容量センサ群のうち、容量値Ｃが容量閾値Ｃｔｈ３１以上の検出静電容量センサが存在する場合（図１０のステップＳ３０２−Ｙｅｓ）、ユーザの接触がタッチパネルディスプレイ装置１０の表面であるものと判定し、「フラグ１」を設定する（図１０のステップＳ３０３）。この処理では、容量閾値Ｃｔｈ３１を表す直線Ｌと曲線Ｖとの最初の交点Ｐ１が求められた場合（図１０のステップＳ３０６−Ｎｏ）、上記直線Ｌと曲線Ｖとの次の交点Ｐ２が求められるまで、ステップＳ３０１〜Ｓ３０３、Ｓ３０６が実行される。
【００８２】
一方、表裏判定部４３は、検出静電容量センサ群のうち、容量値Ｃが容量閾値Ｃｔｈ３１以上の検出静電容量センサが存在しないが、容量値Ｃが容量閾値Ｃｔｈ３２以上の検出静電容量センサが存在する場合（図１０のステップＳ３０２−Ｎｏ、Ｓ３０４−Ｙｅｓ）、表裏判定部４３は、ユーザの接触がタッチパネルディスプレイ装置１０の裏面であるものと判定し、「フラグ２」を設定する（図１０のステップＳ３０５）。この処理では、容量閾値Ｃｔｈ３２を表す直線Ｌと曲線Ｖとの最初の交点Ｐ１が求められた場合（図１０のステップＳ３０６−Ｎｏ）、上記直線Ｌと曲線Ｖとの次の交点Ｐ２が求められるまで、ステップＳ３０１、Ｓ３０２、Ｓ３０４〜Ｓ３０６が実行される。
【００８３】
ここで、検出静電容量センサ群の容量値Ｃが容量閾値Ｃｔｈ３２より小さい場合（図１０のステップＳ３０４−Ｎｏ）、表裏判定部４３は、ユーザの接触がないあるものと判定し、図１１のステップＳ３０６が実行される。
【００８４】
交点Ｐ１、Ｐ２が求められ、フラグとして「フラグ１」が設定されている場合（図１０のステップＳ３０６−Ｙｅｓ、Ｓ３０７−Ｙｅｓ、Ｓ３０８−Ｙｅｓ）、表裏判定部４３は、検出静電容量センサ群のうち、交点Ｐ１から交点Ｐ２までに位置する検出静電容量センサの数（検出数）を、検出静電容量センサ群の数とする。検出数は、Ｘ座標の検出静電容量センサ群のうち、交点Ｐ１から交点Ｐ２までに位置する検出静電容量センサの数である検出数Ｗｘ３１と、Ｙ座標の検出静電容量センサ群のうち、交点Ｐ１から交点Ｐ２までに位置する検出静電容量センサの数である検出数Ｗｙ３１とを表している。表裏判定部４３は、検出数Ｗｘ３１、Ｗｙ３１に基づいて、ユーザの接触がタッチパネルディスプレイ装置１０の表面であるか否かを判定する。具体的には、図１０に示されるように、表裏判定部４３は、「フラグ１」が設定され（Ｃｐ≧Ｃｔｈ３１であり）、検出数Ｗｘ３１、Ｗｙ３１がそれぞれ設定数Ｗｔｈｘ３１、Ｗｔｈｙ３１より少ないか否かを判定する（図１０のステップＳ３０９）。
【００８５】
ここで、検出数Ｗｘ３１、Ｗｙ３１がそれぞれ設定数Ｗｔｈｘ３１、Ｗｔｈｙ３１より少ない場合（図１０のステップＳ３０９−Ｙｅｓ）、表裏判定部４３は、ユーザの接触がタッチパネルディスプレイ装置１０の表面であるものと判定し、その判定結果を表示制御部４４に出力する（図１０のステップＳ３１０）。このとき、表示制御部４４は、表裏判定部４３の判定結果を受け取る。例えば、表裏判定部４３の判定結果が、ユーザの接触がタッチパネルディスプレイ装置１０の表面を表している場合は、表示制御部４４は、タッチパネルディスプレイ装置１０に第１の情報（第１の映像）が表示されるように映像投影装置２を制御する。
【００８６】
このように、２つの距離Ｄ１、Ｄ２が、Ｄ１＜Ｄ２という関係である場合、タッチパネルディスプレイ装置１０の表面は、タッチパネルディスプレイ装置１０の裏面と比べて、検出静電容量センサ群までの距離が短いため、ユーザがタッチパネルディスプレイ装置１０の表面から接触すると、検出静電容量センサ群の容量値Ｃが大きくなり、検出静電容量センサ群の数が少なくなる。すなわち、検出静電容量センサ群の数、位置により形成される接触面の形状が小さくなる。
【００８７】
図１２は、ユーザがタッチパネルディスプレイ装置１０の表面から接触した場合の検出静電容量センサ群の位置（座標）と容量値Ｃとを示している。例えば、容量閾値Ｃｔｈ３１を１５００とした場合、検出静電容量センサ群のうち、容量値Ｃが１５００以上の検出静電容量センサに対して「フラグ１」が設定され、それ以外の検出静電容量センサに対して「フラグ０」が設定される。それを模式的に表したものを図１３に示している。図１３に示されるように、「フラグ１」が設定された検出静電容量センサにおいて、縦方向の座標をＸ座標、横方向の座標をＹ座標とした場合、検出数Ｗｘ３１、Ｗｙ３１はそれぞれ「３」、「５」となる。設定数Ｗｔｈｘ３１、Ｗｔｈｙ３１がそれぞれ「４」、「６」である場合、Ｗｘ３１＜Ｗｔｈｘ３１、Ｗｙ３１＜Ｗｔｈｙ３１が成立するため、ユーザの接触がタッチパネルディスプレイ装置１０の表面であるものと判定される。
【００８８】
一方、検出数Ｗｘ３１、Ｗｙ３１がそれぞれ設定数Ｗｔｈｘ３１、Ｗｔｈｙ３１以上である場合（図１０のステップＳ３０９−Ｎｏ）、表裏判定部４３は、ユーザの接触がないものと判定し、表示制御部４４は、タッチパネルディスプレイ装置１０に情報を表示しない。
【００８９】
交点Ｐ１、Ｐ２が求められ、フラグとして「フラグ２」が設定されている場合（図１０のステップＳ３０６−Ｙｅｓ、Ｓ３０７−Ｙｅｓ、Ｓ３０８−Ｎｏ）、表裏判定部４３は、検出静電容量センサ群のうち、交点Ｐ１から交点Ｐ２までに位置する検出静電容量センサの数（検出数）を、検出静電容量センサ群の数とする。検出数は、Ｘ座標の検出静電容量センサ群のうち、交点Ｐ１から交点Ｐ２までに位置する検出静電容量センサの数である検出数Ｗｘ３２と、Ｙ座標の検出静電容量センサ群のうち、交点Ｐ１から交点Ｐ２までに位置する検出静電容量センサの数である検出数Ｗｙ３２とを表している。表裏判定部４３は、検出数Ｗｘ３２、Ｗｙ３２に基づいて、ユーザの接触がタッチパネルディスプレイ装置１０の裏面であるか否かを判定する。具体的には、図１０に示されるように、表裏判定部４３は、「フラグ２」が設定され（Ｃｐ＜Ｃｔｈ３１、Ｃｐ≧Ｃｔｈ３２であり）、検出数Ｗｘ３２、Ｗｙ３２がそれぞれ設定数Ｗｔｈｘ３２、Ｗｔｈｙ３２以上であるか否かを判定する（図１０のステップＳ３１１）。
【００９０】
ここで、検出数Ｗｘ３２、Ｗｙ３２がそれぞれ設定数Ｗｔｈｘ３２、Ｗｔｈｙ３２以上である場合（図１０のステップＳ３１１−Ｙｅｓ）、表裏判定部４３は、ユーザの接触がタッチパネルディスプレイ装置１０の裏面であるものと判定し、その判定結果を表示制御部４４に出力する（図１０のステップＳ３１２）。このとき、表示制御部４４は、表裏判定部４３の判定結果を受け取る。例えば、表裏判定部４３の判定結果が、ユーザの接触がタッチパネルディスプレイ装置１０の裏面を表している場合は、表示制御部４４は、タッチパネルディスプレイ装置１０に第２の情報（第２の映像）が表示されるように映像投影装置２を制御する。
【００９１】
第３実施形態では、第１実施形態と同様に、ユーザがタッチパネルディスプレイ装置１０の表面側から認識できるように、第１または第２の情報がタッチパネルディスプレイ装置１０に表示される。
【００９２】
このように、２つの距離Ｄ１、Ｄ２が、Ｄ１＜Ｄ２という関係である場合、タッチパネルディスプレイ装置１０の裏面は、タッチパネルディスプレイ装置１０の表面と比べて、検出静電容量センサ群までの距離が長いため、ユーザがタッチパネルディスプレイ装置１０の裏面から接触すると、検出静電容量センサ群の容量値Ｃが小さくなり、検出静電容量センサ群の数が多くなる。すなわち、検出静電容量センサ群の数、位置により形成される接触面の形状が大きくなる。
【００９３】
図１４は、ユーザがタッチパネルディスプレイ装置１０の裏面から接触した場合の検出静電容量センサ群の位置（座標）と容量値Ｃとを示している。例えば、容量閾値Ｃｔｈ３２を１５５とした場合、検出静電容量センサ群ののうち、容量値Ｃが１５５以上の検出静電容量センサに対して「フラグ２」が設定され、それ以外の検出静電容量センサに対して「フラグ０」が設定される。それを模式的に表したものを図１５に示している。図１５に示されるように、「フラグ２」が設定された検出静電容量センサにおいて、縦方向の座標をＸ座標、横方向の座標をＹ座標とした場合、検出数Ｗｘ３２、Ｗｙ３２はそれぞれ「４」、「８」となる。設定数Ｗｔｈｘ３２、Ｗｔｈｙ３２がそれぞれ「４」、「８」である場合、Ｗｘ３２≧Ｗｔｈｘ３２、Ｗｙ３２≧Ｗｔｈｙ３２が成立するため、ユーザの接触がタッチパネルディスプレイ装置１０の裏面であるものと判定される。
【００９４】
一方、検出数Ｗｘ３２、Ｗｙ３２がそれぞれ設定数Ｗｔｈｘ３２、Ｗｔｈｙ３２より少ない場合（図１０のステップＳ３１１−Ｎｏ）、表裏判定部４３は、ユーザの接触がないものと判定し、表示制御部４４は、タッチパネルディスプレイ装置１０に情報を表示しない。
【００９５】
また、フラグが設定されていない場合（図１０のステップＳ３０７−Ｎｏ）、表裏判定部４３は、ユーザの接触がないものと判定し、表示制御部４４は、タッチパネルディスプレイ装置１０に情報を表示しない。
【００９６】
以上の説明により、第３実施形態に係る情報表示装置１は、座標を形成するように複数配置された静電容量センサ１２を備え、透過性のタッチパネルディスプレイ装置１０と、複数の静電容量センサ１２のうちの、ユーザがタッチパネルディスプレイ装置１０に接触したときの検出静電容量センサ群を検知する容量変化検知部４２と、検出静電容量センサ群の容量値Ｃと検出静電容量センサ群の数（検出静電容量センサ群の数、位置により形成される接触面の形状）との両方に基づいて、ユーザの接触がタッチパネルディスプレイ装置１０の表面であるか裏面であるかを判定する表裏判定部４３と、表裏判定部４３の判定結果に基づいて、タッチパネルディスプレイ装置１０に情報を表示する表示制御部４４と、を具備している。このように、第３実施形態に係る情報表示装置１では、透過性のタッチパネルディスプレイ装置を用いた方式において、ユーザの接触がタッチパネルディスプレイ装置１０の表面であるか裏面であるかを区別することができるため、ユーザの利便性が向上する。また、第３実施形態に係る情報表示装置１では、静電容量センサ１２（検出静電容量センサ群の容量値Ｃ、検出静電容量センサ群の数（検出静電容量センサ群の数、位置により形成される接触面の形状））により、ユーザの接触がタッチパネルディスプレイ装置１０の表面であるか裏面であるかを判定するため、タッチパネルディスプレイ装置１０の表面と裏面との両方にセンサを設ける必要がない。
【００９７】
［第４実施形態］
第４実施形態では第１〜第３実施形態からの変更点を説明する。
【００９８】
第１〜第３実施形態では、タッチパネルディスプレイ装置１０の表面側にいるユーザがタッチパネルディスプレイ装置１０の表面側から認識できるように、第１の情報（第１の映像）がタッチパネルディスプレイ装置１０に表示される。一方、第４実施形態では、タッチパネルディスプレイ装置１０の裏面側にいるユーザがタッチパネルディスプレイ装置１０の裏面側から認識できるように、タッチパネルディスプレイ装置１０の裏面への接触により、第１の情報（第１の映像）を左右反転させた第２の情報（第２の映像）がタッチパネルディスプレイ装置１０に表示される。
【００９９】
図１６〜１９を用いて、第４実施形態に係る情報表示装置１の動作について説明する。図１６は、第４実施形態に係る情報表示装置１の表示制御部４４の動作を示すフローチャートである。図１７〜１９は、第４実施形態に係る情報表示装置１の動作を説明するための図である。
【０１００】
表示制御部４４は、タッチパネルディスプレイ装置１０の表面への接触がない場合、あるいは、表裏判定部４３の判定結果が、ユーザ２１の接触がタッチパネルディスプレイ装置１０の表面を表している場合（図１６のステップＳ４０１−Ｎｏ）、表示処理を実行する（図１６のステップＳ４０２）。表示処理では、表示制御部４４は、第１の情報（第１の映像）がタッチパネルディスプレイ装置１０に表示されるように映像投影装置２を制御する。
【０１０１】
ここで、タッチパネルディスプレイ装置１０の表面側にいるユーザ２１は、タッチパネルディスプレイ装置１０に表示された第１の情報（第１の映像）を見ている。このとき、タッチパネルディスプレイ装置１０の裏面側にいるユーザ２２は、第１の情報として、図１７に示すような情報４０１を見ていることになる。情報４０１は、第１の情報が左右反転された情報である。情報４０１は、左右反転された文字などを表している。この場合、ユーザ２２は、情報４０１をタッチパネルディスプレイ装置１０の裏面側から認識しにくい。図１８に示されるように、ユーザ２２は、タッチパネルディスプレイ装置１０に表示された情報４０１を認識したいので、タッチパネルディスプレイ装置１０の裏面をタッチする。
【０１０２】
表示制御部４４は、タッチパネルディスプレイ装置１０の裏面への接触があり、表裏判定部４３の判定結果が、ユーザの接触がタッチパネルディスプレイ装置１０の裏面を表している場合（図１６のステップＳ４０１−Ｙｅｓ）、反転表示処理を実行する（図１６のステップＳ４０３）。反転表示処理では、表示制御部４４は、第１の情報（第１の映像）を左右反転させた第２の情報（第２の映像）が表示されるように映像投影装置２を制御する。
【０１０３】
ここで、タッチパネルディスプレイ装置１０の裏面側にいるユーザ２２は、第２の情報として、図１９に示すような情報４０２を見ることができる。情報４０２は、情報４０１が左右反転された情報である。この場合、ユーザ２２は、情報４０２をタッチパネルディスプレイ装置１０の裏面側から認識することができる。
【０１０４】
以上の説明により、第４実施形態に係る情報表示装置１は、表示制御部４４は、表裏判定部４３の判定結果がタッチパネルディスプレイ装置１０の裏面の接触を表している場合、タッチパネルディスプレイ装置１０に表示されている情報４０１を左右反転させた情報４０２をタッチパネルディスプレイ装置１０に表示する。このように、第４実施形態に係る情報表示装置１では、タッチパネルディスプレイ装置１０の裏面側にいるユーザ２２は、情報（映像）をタッチパネルディスプレイ装置１０の裏面側から認識することができる。
【０１０５】
［第５実施形態］
第５実施形態では第４実施形態からの変更点を説明する。
【０１０６】
第４実施形態では、タッチパネルディスプレイ装置１０の裏面側にいるユーザ２２がタッチパネルディスプレイ装置１０の裏面側から認識できるように、タッチパネルディスプレイ装置１０の裏面へのユーザ２２の接触により、情報４０１を左右反転させた情報４０２がタッチパネルディスプレイ装置１０に表示される。一方、第５実施形態では、ユーザ２２がタッチパネルディスプレイ装置１０の裏面側から描画情報を入力（描画）し終えると、タッチパネルディスプレイ装置１０の表面側にいるユーザ２１がタッチパネルディスプレイ装置１０の表面側から認識できるように、描画情報を左右反転させた描画情報がタッチパネルディスプレイ装置１０に表示される。
【０１０７】
図２０〜２３を用いて、第５実施形態に係る情報表示装置１の動作について詳細に説明する。図２０は、第５実施形態に係る情報表示装置１の表示制御部４４の動作を示すフローチャートである。図２１〜２３は、第５実施形態に係る情報表示装置１の動作を説明するための図である。
【０１０８】
表裏判定部４３の判定結果が、ユーザの接触がタッチパネルディスプレイ装置１０の表面を表している（図２０のステップＳ５０１−Ｎｏ）。このとき、タッチパネルディスプレイ装置１０の表面側にいるユーザ２１は、タッチパネルディスプレイ装置１０に描画情報を入力（描画）したいので、指示媒体（ペン先またはユーザ２１の指先）を用いてタッチパネルディスプレイ装置１０の表面から入力操作を行なっている（図２０のステップＳ５０３−Ｙｅｓ）。この場合、表示制御部４４は、表示処理を実行する（図２０のステップＳ５０４）。表示処理では、表示制御部４４は、表裏判定部４３の判定結果と、検出静電容量センサ群の位置とに基づいて、タッチパネルディスプレイ装置１０に対してユーザ２１により入力された情報を表す描画情報を生成し、描画情報がタッチパネルディスプレイ装置１０に映像として投影（表示）されるように映像投影装置２を制御する。
【０１０９】
ここで、後述の「反転フラグ」が設定されていないため（図２０のステップＳ５０５−Ｙｅｓ）、表示制御部４４は、表裏判定部４３からの次の判定結果を待つ。表示制御部４４は、タッチパネルディスプレイ装置１０の表面への接触がなく、入力操作も行なわれていない場合（図２０のステップＳ５０１−Ｎｏ、Ｓ５０３−Ｎｏ、Ｓ５０５−Ｙｅｓ）、表示制御部４４は、前回の処理を継続する。例えば、表示制御部４４は、上述の描画情報（映像）がタッチパネルディスプレイ装置１０に表示されるように映像投影装置２を制御している。
【０１１０】
一方、表裏判定部４３の判定結果が、ユーザの接触がタッチパネルディスプレイ装置１０の裏面を表している（図２０のステップＳ５０１−Ｙｅｓ）。このとき、表示制御部４４は、「反転フラグ」を設定する。タッチパネルディスプレイ装置１０の裏面側にいるユーザ２２は、入力操作によりタッチパネルディスプレイ装置１０に第１の描画情報を入力したいので、指示媒体（ペン先またはユーザ２２の指先）を用いてタッチパネルディスプレイ装置１０の裏面から入力操作を行なう（図２０のステップＳ５０３−Ｙｅｓ）。この場合、表示制御部４４は、表示処理を実行する（図２０のステップＳ５０４）。表示処理では、表示制御部４４は、表裏判定部４３の判定結果と、検出静電容量センサ群の位置とに基づいて、タッチパネルディスプレイ装置１０に対してユーザ２２により入力された情報を表す第１の描画情報を生成し、第１の描画情報がタッチパネルディスプレイ装置１０に映像として投影（表示）されるように映像投影装置２を制御する。
【０１１１】
ここで、タッチパネルディスプレイ装置１０の表面側にいるユーザ２１は、図２２に示すような描画情報５０１を見ていることになる。描画情報５０１は、第１の描画情報が左右反転された描画情報である。描画情報５０１は、左右反転された文字などを表している。この場合、ユーザ２１は、描画情報５０１をタッチパネルディスプレイ装置１０の表面側から認識しにくい。
【０１１２】
そこで、「反転フラグ」が設定されているため（図２０のステップＳ５０５−Ｎｏ）、表示制御部４４は、ユーザ２２の入力操作が終了してから所定時間が経過したか否かを判定する（図２０のステップＳ５０６）。
【０１１３】
ユーザ２２の入力操作が終了してから所定時間が経過していない場合（図２０のステップＳ５０６−Ｎｏ）、ユーザ２２は、まだタッチパネルディスプレイ装置１０に描画情報（この場合、第１の描画情報）を入力する可能性がある。そのため、ステップＳ５０３が実行される。
【０１１４】
一方、ユーザ２２の入力操作が終了してから所定時間が経過した場合（図２０のステップＳ５０６−Ｙｅｓ）、反転表示処理を実行する（図２０のステップＳ５０７）。反転表示処理では、表示制御部４４は、第１の描画情報を左右反転させた第２の描画情報が表示されるように映像投影装置２を制御する。
【０１１５】
ここで、タッチパネルディスプレイ装置１０の表面側にいるユーザ２１は、図２３に示すような描画情報５０２を見ることができる。描画情報５０２は、描画情報５０１が左右反転された描画情報である。この場合、ユーザ２１は、描画情報５０２をタッチパネルディスプレイ装置１０の表面側から認識することができる。
【０１１６】
図２４、２５を用いて、反転表示処理の一例について説明する。図２４に示されるように、タッチパネルディスプレイ装置１０の裏面側にいるユーザ２２は、入力操作により文字「ＣＡＲ」を入力したものとする。ユーザ２２の入力操作が終了してから所定時間（例えば、１０秒間）が経過した場合、描画情報５０３「ＣＡＲ」を１つのオブジェクトとして扱う。このオブジェクトは、タッチパネルディスプレイ装置１０の裏面からの入力であるため、「反転フラグ」付きのオブジェクトとなる。図２４に示される座標（ｘ１，ｙ１）、（ｘ２，ｙ２）が、それぞれ、図２５に示される座標（ｘ１’，ｙ１’）、（ｘ２’，ｙ２’）に変換される。
【０１１７】
ここで、ディスプレイ座標系は、ディスプレイの表示画素数単位を示しており、例えば、Ｆｕｌｌ−ＨＤ（フルハイビジョン）の場合は１９２０画素×１０８０画素、ＵＨＤ（Ultra High Definition）の場合は３８４０画素×２１６０画素となる。左上をディスプレイ座標系の原点として、横方向がｘ座標、縦方向がｙ座標を示している。ディスプレイ座標系で横方向の座標を変換するときに、Ｆｕｌｌ−ＨＤ解像度（１９２０×１０８０）を対象とした場合、座標（ｘ１’，ｙ１’）、（ｘ２’，ｙ２’）は、
ｘ１’＝１９１９−ｘ１
ｙ１’＝ｙ１
ｘ２’＝１９１９−ｘ２
ｙ２’＝ｙ２
と表すことができる。
【０１１８】
この例では、ディスプレイの長辺側を水平に設置した横長タイプの場合であるが、短辺側を水平に設置した縦長タイプの場合であっても考え方は同じである。また、座標反転は、センサ座標系、ディスプレイ座標系の何れでもよい。
【０１１９】
以上の説明により、第５実施形態に係る情報表示装置１は、表示制御部４４は、表裏判定部４３の判定結果と、検出静電容量センサ群の位置とに基づいて、タッチパネルディスプレイ装置１０に対してユーザ２２により入力された情報を表す描画情報５０１を生成し、描画情報５０１をタッチパネルディスプレイ装置１０に表示する。表裏判定部４３の判定結果がタッチパネルディスプレイ装置１０の裏面の接触を表していて、ユーザ２２による入力の終了から所定時間が経過した場合、表示制御部４４は、描画情報５０１を左右反転させた描画情報５０２をタッチパネルディスプレイ装置１０に表示する。このように、第５実施形態に係る情報表示装置１では、タッチパネルディスプレイ装置１０の裏面側にいるユーザ２２は、入力操作により入力した描画情報５０１を確認しやすく、タッチパネルディスプレイ装置１０の表面側にいるユーザ２１は、所定時間経過後に描画情報５０１が左右反転された描画情報５０２を認識することができる。
【０１２０】
［第６実施形態］
第６実施形態では第４実施形態からの変更点を説明する。
【０１２１】
第５実施形態では、ユーザ２２が入力操作によりタッチパネルディスプレイ装置１０の裏面側から描画情報５０１を入力し終えると、タッチパネルディスプレイ装置１０の表面側にいるユーザ２１がタッチパネルディスプレイ装置１０の表面側から認識できるように、描画情報５０１を左右反転させた描画情報５０２がタッチパネルディスプレイ装置１０に表示される。一方、第６実施形態では、ユーザ２２が入力操作によりタッチパネルディスプレイ装置１０の裏面側から描画情報を入力しているときに、タッチパネルディスプレイ装置１０の表面側にいるユーザ２１がタッチパネルディスプレイ装置１０の表面側から認識できるように、リアルタイムに、描画情報を左右反転させた描画情報がタッチパネルディスプレイ装置１０に表示される。
【０１２２】
図２６〜２８を用いて、第６実施形態に係る情報表示装置１の動作について詳細に説明する。図２６は、第６実施形態に係る情報表示装置１の表示制御部４４の動作を示すフローチャートである。図２７、２８は、第６実施形態に係る情報表示装置１の動作を説明するための図である。
【０１２３】
表裏判定部４３の判定結果が、ユーザの接触がタッチパネルディスプレイ装置１０の表面を表している（図２６のステップＳ６０１−Ｎｏ）。このとき、タッチパネルディスプレイ装置１０の表面側にいるユーザ２１は、入力操作によりタッチパネルディスプレイ装置１０に描画情報を入力したいので、指示媒体（ペン先またはユーザ２１の指先）を用いてタッチパネルディスプレイ装置１０の表面から入力操作を行なっている（図２６のステップＳ６０３−Ｙｅｓ）。この場合、後述の「反転フラグ」が設定されていないため（図２６のステップＳ５０４−Ｙｅｓ）、表示制御部４４は、表示処理を実行する（図２６のステップＳ６０５）。表示処理では、表示制御部４４は、表裏判定部４３の判定結果と、検出静電容量センサ群の位置とに基づいて、タッチパネルディスプレイ装置１０に対してユーザ２１により入力された情報を表す描画情報を生成し、描画情報がタッチパネルディスプレイ装置１０に映像として投影（表示）されるように映像投影装置２を制御する。
【０１２４】
ここで、表示制御部４４は、タッチパネルディスプレイ装置１０の表面への接触がなく、入力操作も行なわれていない場合（図２６のステップＳ６０１−Ｎｏ、Ｓ６０３−Ｎｏ）、表示制御部４４は、前回の処理を継続する。例えば、表示制御部４４は、上述の描画情報（映像）がタッチパネルディスプレイ装置１０に表示されるように映像投影装置２を制御している。
【０１２５】
一方、表裏判定部４３の判定結果が、ユーザの接触がタッチパネルディスプレイ装置１０の裏面を表している（図２６のステップＳ６０１−Ｙｅｓ）。このとき、表示制御部４４は、「反転フラグ」を設定する。タッチパネルディスプレイ装置１０の裏面側にいるユーザ２２は、タッチパネルディスプレイ装置１０に描画情報６０１（図２７）として文字「ＣＡＲ」の「Ｃ」を書き始めたいので、指示媒体（ペン先またはユーザ２２の指先）を用いてタッチパネルディスプレイ装置１０の裏面から入力操作を行なう（図２６のステップＳ６０３−Ｙｅｓ）。この場合、「反転フラグ」が設定されているため（図２６のステップＳ５０４−Ｎｏ）、表示制御部４４は、リアルタイム反転表示処理を実行する（図２６のステップＳ６０６）。リアルタイム反転表示処理では、表示制御部４４は、描画情報６０１を左右反転させた描画情報６０２（図２８）がリアルタイムに表示されるように映像投影装置２を制御する。
【０１２６】
図２９、３０を用いて、リアルタイム反転表示処理の一例について説明する。ここで、図２９に示されるように、静電容量センサ１２のライン数が、Ｙ座標（静電容量センサ１２Ｙ）においては、Ｙ０からＹ２５４までの２５５ラインであり、Ｘ座標（静電容量センサ１２Ｘ）においては、Ｘ０からＸ１４２までの１４３ラインである場合について説明する。
【０１２７】
図３０に示されるように、センサ座標系は、静電容量センサ１２の検知エリア（アクティブエリア）、つまり、ユーザの入力により、静電容量の変化が検出され、タッチであると認識することができる領域内に関して、センサライン単位の座標で表す。特に、本実施形態の構成では、ディスプレイ表示に対し、右上がセンサ座標系の原点（０，０）であり、Ｙ座標（静電容量センサ１２Ｙ）が横方向を示し、Ｘ座標（静電容量センサ１２Ｘ）が縦方向を示している。このとき、センサ座標系でＹ座標変換（反転処理）を行なう場合は、変換後のＹ座標をＹ’とすると、
Ｙ’＝２５４−Ｙ
と表すことができる。
【０１２８】
ここで、ディスプレイ座標系は、ディスプレイの表示画素数単位を示しており、例えば、Ｆｕｌｌ−ＨＤ（フルハイビジョン）の場合は１９２０画素×１０８０画素、ＵＨＤ（Ultra High Definition）の場合は３８４０画素×２１６０画素となる。左上をディスプレイ座標系の原点として、横方向がｘ座標、縦方向がｙ座標を示している。ディスプレイ座標系で横方向の座標を変換するときに、Ｆｕｌｌ−ＨＤ解像度（１９２０×１０８０）を対象とした場合、
ＤＩＳＰｘ’＝１９１９−ＤＩＳＰｘ
と表すことができる。ＤＩＳＰｘは、ディスプレイ座標系のｘ座標を表している。
【０１２９】
センサの構成によっては、原点となる位置が異なってくるため、構成に応じて正しく変換する必要がある。センサ座標系は、最終出力する際にディスプレイ座標系に変換するため、横方向の座標変換をどのタイミングで変換するかは、適用するシステムによって柔軟に対応することができる。いずれの場合も、ディスプレイの長辺側を水平に設置した横長タイプの場合の例であり短辺側を水平に設置した縦長タイプの場合であっても考え方は同じである。また、座標反転は、センサ座標系、ディスプレイ座標系の何れでもよい。
【０１３０】
以上の説明により、第６実施形態に係る情報表示装置１は、表示制御部４４は、表裏判定部４３の判定結果と、検出静電容量センサ群の位置とに基づいて、タッチパネルディスプレイ装置１０に対してユーザ２２により入力された情報を表す描画情報６０１を生成し、描画情報６０１をタッチパネルディスプレイ装置１０に表示する。表裏判定部４３の判定結果がタッチパネルディスプレイ装置１０の裏面の接触を表している場合、表示制御部４４は、描画情報６０１を左右反転させた描画情報６０２をリアルタイムにタッチパネルディスプレイ装置１０に表示する。このように、第６実施形態に係る情報表示装置１では、タッチパネルディスプレイ装置１０の裏面側にいるユーザ２２が描画情報５０１を入力中であっても、タッチパネルディスプレイ装置１０の表面側にいるユーザ２１は、リアルタイムに描画情報６０１が左右反転された描画情報６０２を認識することができる。
【０１３１】
［第７実施形態］
第７実施形態では第１〜第６実施形態からの変更点を説明する。
【０１３２】
第１〜第３実施形態では、タッチパネルディスプレイ装置１０の表面側にいるユーザが入力操作によりタッチパネルディスプレイ装置１０の表面側から第１の情報（描画情報）を入力し、タッチパネルディスプレイ装置１０の裏面側にいるユーザが入力操作によりタッチパネルディスプレイ装置１０の裏面側から第２の情報（描画情報）を入力することができる。タッチパネルディスプレイ装置１０の表面側にいるユーザと、タッチパネルディスプレイ装置１０の裏面側にいるユーザと、が同時に入力操作を行なっていない場合は、第４〜第６実施形態が適用される。しかし、タッチパネルディスプレイ装置１０の表面側にいるユーザと、タッチパネルディスプレイ装置１０の裏面側にいるユーザと、が同時に入力操作を行なった場合、例えば、タッチパネルディスプレイ装置１０の表面側にいる他のユーザは、タッチパネルディスプレイ装置１０に表示された第１の情報（描画情報）と第２の情報（描画情報）とを区別して認識しにくい。第７実施形態では、タッチパネルディスプレイ装置１０の表面側にいるユーザと、タッチパネルディスプレイ装置１０の裏面側にいるユーザと、が同時に入力操作を行なった場合に、タッチパネルディスプレイ装置１０の表面側にいるユーザにより入力された描画情報と、タッチパネルディスプレイ装置１０の裏面側にいるユーザにより入力された描画情報と、を区別して、タッチパネルディスプレイ装置１０に表示する。
【０１３３】
図３１〜３３を用いて、第７実施形態に係る情報表示装置１の動作について説明する。図３１は、第７実施形態に係る情報表示装置１の表裏判定部４３の動作を示すフローチャートである。図３２は、第７実施形態に係る情報表示装置１の表示制御部４４の動作を示すフローチャートである。図３３は、第７実施形態に係る情報表示装置１の動作を説明するための図である。
【０１３４】
図３３に示されるように、タッチパネルディスプレイ装置１０の表面側にいるユーザ２１と、タッチパネルディスプレイ装置１０の裏面側にいるユーザ２２と、が同時に入力操作を行なっている。このとき、図３１に示されるように、表裏判定部４３は、前述したステップＳ３０１〜Ｓ３０９、Ｓ３１１、Ｓ７１０、Ｓ７１２を実行する。すなわち、表裏判定部４３は、第３実施形態におけるステップＳ３１０、Ｓ３１２に代えて、ステップＳ７１０、Ｓ７１２を実行する。
【０１３５】
ステップＳ７１０において、表裏判定部４３は、ユーザの接触がタッチパネルディスプレイ装置１０の表面であるものと判定したときに、その判定結果に、ユーザの接触がタッチパネルディスプレイ装置１０の表面である旨を表す表面側属性情報を付加し、表示制御部４４に出力する。
【０１３６】
ステップＳ７１２において、表裏判定部４３は、ユーザの接触がタッチパネルディスプレイ装置１０の裏面であるものと判定したときに、その判定結果に、ユーザの接触がタッチパネルディスプレイ装置１０の表面である旨を表す裏面側属性情報を付加し、表示制御部４４に出力する。
【０１３７】
表示制御部４４は、表面側属性情報が付加された判定結果と、裏面側属性情報が付加された判定結果と、を同時に受け取った場合、タッチパネルディスプレイ装置１０の表面側にいるユーザ２１と、タッチパネルディスプレイ装置１０の裏面側にいるユーザ２２と、が同時に入力操作を行なっているものと判定する（図３２のステップＳ７０１−Ｙｅｓ）。この場合、表示制御部４４は、同時表示処理を実行する（図３２のステップＳ７０２）。同時表示処理では、表示制御部４４は、表面側属性情報が付加された判定結果と、検出静電容量センサ群の位置とに基づいて、タッチパネルディスプレイ装置１０に対してユーザ２１により入力された情報を表す第１描画情報を生成し、第１描画情報がタッチパネルディスプレイ装置１０に表示されるように映像投影装置２を制御する。同時に、表示制御部４４は、裏面側属性情報が付加された判定結果と、検出静電容量センサ群の位置とに基づいて、タッチパネルディスプレイ装置１０に対してユーザ２２により入力された情報を表す第２描画情報を生成し、第１描画情報の属性とは異なる属性により第２描画情報がタッチパネルディスプレイ装置１０に表示されるように映像投影装置２を制御する。
【０１３８】
ここで、タッチパネルディスプレイ装置１０の表面側にいる他のユーザは、第１描画情報として、図３３に示すような描画情報７０１を見ることができる。描画情報７０１は、タッチパネルディスプレイ装置１０の表面側にいるユーザ２１により入力された描画情報である。
【０１３９】
また、タッチパネルディスプレイ装置１０の裏面側にいる他のユーザは、第２描画情報として、図３３に示すような描画情報７０２を見ることができる。描画情報７０２は、タッチパネルディスプレイ装置１０の裏面側にいるユーザ２２により入力された描画情報である。また、描画情報７０１が黒色で表記されている場合、描画情報７０２は、描画情報７０１の属性とは異なる属性として、例えば赤色で表記されている。
【０１４０】
なお、タッチパネルディスプレイ装置１０の表面側にいるユーザ２１と、タッチパネルディスプレイ装置１０の裏面側にいるユーザ２２と、が同時に入力操作を行なっていない場合（図３２のステップＳ７０１−Ｎｏ）、第４〜第６実施形態が適用される。
【０１４１】
以上の説明により、第７実施形態に係る情報表示装置１は、表裏判定部４３の判定結果がタッチパネルディスプレイ装置１０の表面と裏面との同時接触を表している場合、表示制御部４４は、タッチパネルディスプレイ装置１０の表面の接触を検知した検出静電容量センサ群の位置に基づいて、タッチパネルディスプレイ装置１０に対して第１ユーザ（ユーザ２１）により入力された情報を表す第１描画情報（描画情報７０１）を生成し、第１描画情報（描画情報７０１）をタッチパネルディスプレイ装置１０に表示する。同時に、表示制御部４４は、タッチパネルディスプレイ装置１０の裏面の接触を検知した検出静電容量センサ群の位置に基づいて、タッチパネルディスプレイ装置１０に対して第２ユーザ（ユーザ２２）により入力された情報を表す第２描画情報（描画情報７０２）を生成し、第１描画情報（描画情報７０１）の属性とは異なる属性により第２描画情報（描画情報７０２）をタッチパネルディスプレイ装置１０に表示する。このように、第７実施形態に係る情報表示装置１では、タッチパネルディスプレイ装置１０の表面側にいるユーザ２１と、タッチパネルディスプレイ装置１０の裏面側にいるユーザ２２と、が同時に入力操作を行なった場合に、タッチパネルディスプレイ装置１０の表面側にいるユーザ２１により入力された描画情報７０１と、タッチパネルディスプレイ装置１０の裏面側にいるユーザ２２により入力された描画情報７０２と、を区別して、タッチパネルディスプレイ装置１０に表示することができる。
【０１４２】
［第８実施形態］
第８実施形態では第１〜第７実施形態からの変更点を説明する。
【０１４３】
図３４は、第８実施形態に係る情報表示装置１の動作を説明するための図である。タッチパネルディスプレイ装置１０に情報８０１が表示されるときに、例えば、基材１３において、情報８０１が表示されない部分に、振動スピーカ８０が設けられている。振動スピーカ８０を基材１３に接触させ、その基材１３全体を振動板の代わりに振動させることにより、３６０度全方位に向けて音を出すことができる。これにより、通常のスピーカを別途追加する必要が無く、基材１３を振動させるだけで、新たな機能を追加することができる。
【０１４４】
以上のように、本発明は上述した実施形態に限定されるものではなく、種々の変更が可能である。すなわち、適宜変更した技術的手段を組み合わせて得られる実施形態についても本発明の技術的範囲に含まれる。
【符号の説明】
【０１４５】
１  …  情報表示装置
２  …  映像投影装置
３  …  記憶装置
４  …  制御装置
１０  …  タッチパネルディスプレイ装置
１１  …  投影シート
１２  …  静電容量センサ
１２Ｘ  …  静電容量センサ（Ｘ座標系）
１２Ｙ  …  静電容量センサ（Ｙ座標系）
１３  …  基材
１４  …  低反射フィルム
２１  …  ユーザ（表面側）
２２  …  ユーザ（裏面側）
３１  …  台
３２  …  支持部
３３  …  天井
３４  …  支持部
４１  …  センサ駆動部
４２  …  容量変化検知部
４３  …  表裏判定部
４４  …  表示制御部
４５  …  メニュー表示制御部
８０  …  振動スピーカ
４０１  …  情報
４０２  …  情報
５０１  …  描画情報
５０２  …  描画情報
６０１  …  描画情報
６０２  …  描画情報
７０１  …  描画情報
７０２  …  描画情報
８０１  …  情報
Ｃｐ  …  容量ピーク値
Ｃｔｈ  …  容量閾値
Ｃｔｈ１１  …  容量閾値
Ｃｔｈ１２  …  容量閾値
Ｃｔｈ２０  …  容量閾値
Ｃｔｈ３１  …  容量閾値
Ｃｔｈ３２  …  容量閾値
Ｄ１  …  距離
Ｄ２  …  距離
ＤＳ  …  設定距離
Ｐ１  …  交点
Ｐ２  …  交点
Ｌ  …  直線
Ｖ  …  曲線
Ｗｔｈｘ２０  …  設定数
Ｗｔｈｘ３１  …  設定数
Ｗｔｈｘ３２  …  設定数
Ｗｔｈｙ２０  …  設定数
Ｗｔｈｙ３１  …  設定数
Ｗｔｈｙ３２  …  設定数
Ｗｘ  …  検出数
Ｗｘ２０  …  検出数
Ｗｘ３１  …  検出数
Ｗｘ３２  …  検出数
Ｗｙ  …  検出数
Ｗｙ２０  …  検出数
Ｗｙ３１  …  検出数
Ｗｙ３２  …  検出数
【図１】
2020035500.tif 000003
【図２】
2020035500.tif 000004
【図３】
2020035500.tif 000005
【図４】
2020035500.tif 000006
【図５】
2020035500.tif 000007
【図６】
2020035500.tif 000008
【図７】
2020035500.tif 000009
【図８】
2020035500.tif 000010
【図９】
2020035500.tif 000011
【図１０】
2020035500.tif 000012
【図１１】
2020035500.tif 000013
【図１２】
2020035500.tif 000014
【図１３】
2020035500.tif 000015
【図１４】
2020035500.tif 000016
【図１５】
2020035500.tif 000017
【図１６】
2020035500.tif 000018
【図１７】
2020035500.tif 000019
【図１８】
2020035500.tif 000020
【図１９】
2020035500.tif 000021
【図２０】
2020035500.tif 000022
【図２１】
2020035500.tif 000023
【図２２】
2020035500.tif 000024
【図２３】
2020035500.tif 000025
【図２４】
2020035500.tif 000026
【図２５】
2020035500.tif 000027
【図２６】
2020035500.tif 000028
【図２７】
2020035500.tif 000029
【図２８】
2020035500.tif 000030
【図２９】
2020035500.tif 000031
【図３０】
2020035500.tif 000032
【図３１】
2020035500.tif 000033
【図３２】
2020035500.tif 000034
【図３３】
2020035500.tif 000035
【図３４】
2020035500.tif 000036